(57)【特許請求の範囲】
【請求項１】
照光面に対向配置される略長方形の板状の導光体の１方の側面に光源を配置し、他方の側面に前記導光体の底面に対して鈍角をなす下側反射面と前記底面に対して鋭角をなす上側反射面を形成すると共に、前記照光面と対向する前記導光体の光放射面を前記光源の側から前記下側反射面および上側反射面の側に向けて前記照光面と反対方向に下がるように形成して前記１方の側面と平行に伸びる複数のＶ字形溝を設け、前記光放射面の下がりきった位置から前記底面に対して垂直に立上がる光出射面を設け、前記光源から前記導光体を通り直接前記光放射面の内面に至った光を前記光放射面で前記照光面に向けて屈折させ、前記光源から前記導光体の下方を通り前記下側反射面で内部反射され、さらに前記上側反射面で内部反射されて前記光出射面の内部に至った光を前記光出射面から出射させて前記光放射面の外面に至った光を前記光放射面で前記照光面に向けて反射させるように構成した採光板。
【請求項２】
前記１方の側面に凹みを設け、前記凹みに突入するように光源が配置される請求項１の採光板。
【請求項３】
前記光源としてＬＥＤが用いられる請求項１または２の採光板。
【発明の詳細な説明】
【０００１】
【発明の属する技術分野】
この発明はＬＣＤ（液晶ディスプレイ）やパネルの照光面等を照光するための採光板に係わり、特に、省スペース化され、しかも照光部分を均一に照明することができる採光板に関する。
【０００２】
【従来の技術】
従来のＬＣＤ（液晶ディスプレイ）やパネルの照光面等を照光する採光板の例を図３に示す。図に示す採光板８の両側面に光源となるＬＥＤ６、６が配置されている。なお図示していないが、採光板８の下面および両側面には反射板が配置され、上面には散光板が配置され、その上にＬＣＤ（液晶ディスプレイ）やパネルの照光面が配置される。ＬＥＤ６、６から出射された光は採光板や反射板で散光板に導かれ、散光板で拡散されて照光面を照明する。
【０００３】
特開平６−１２３８１０号公報に提案された採光板は採光板の一方の側に光源を配置し、採光板の底面に複数の凹溝条を設けており、この凹溝条は光源に近くなるにつれて浅くなるように形成されている。
【０００４】
特開平１０−３９３０２号公報に提案された採光板は採光板の一方の側または両側に光源を配置し、採光板の底面に複数の凹溝条を設けており、この凹溝条の傾斜角を光源からの距離により変化させている。
【０００５】
特開平１０−２５４３７１号公報に提案された採光板は採光板の一方の側に光源を配置し、採光板の底面を傾斜させて光源から遠くなるにつれて採光板の肉厚が薄くなるように変化させ、採光板の光放射面の上に断面鋸歯状のプリズムシートを配置している。
【０００６】
【発明が解決しようとする課題】
上記した従来の両側面に光源を配置した採光板は部品点数が多くなる上に光源と採光板とが占めるスペースが大きくなり、設計上の自由度が小さくなる。また、照光するＬＣＤの大きさが制限されるという問題があった。
【０００７】
採光板の一方の側に光源を配置するものは、光を均一に拡散するために種々の技法が用いられているが、採光板の光放射面には光源方向からのみ光が導かれるために光源に近い所から遠い所に亘り均一に照光面を照射することが困難であった。
【０００８】
この発明は上記した点に鑑みてなされたものであって、その目的とするところは、採光板の一方の側に光源を配置し、しかも、容易に光源に近い所から遠い所に亘り均一に照光面を照射することができる採光板を提供することにある。
【０００９】
【課題を解決するための手段】
この発明の採光板は、照光面に対向配置される略長方形の板状の導光体の１方の側面に光源を配置し、他方の側面に前記導光体の底面に対して鈍角をなす下側反射面と前記底面に対して鋭角をなす上側反射面を形成すると共に、前記照光面と対向する前記導光体の光放射面を前記光源の側から前記下側反射面および上側反射面の側に向けて前記照光面と反対方向に下がるように形成して前記１方の側面と平行に伸びる複数のＶ字形溝を設け、前記光放射面の下がりきった位置から前記底面に対して垂直に立上がる光出射面を設け、前記光源から前記導光体を通り直接前記光放射面の内面に至った光を前記光放射面で前記照光面に向けて屈折させ、前記光源から前記導光体の下方を通り前記下側反射面で内部反射され、さらに前記上側反射面で内部反射されて前記光出射面の内部に至った光を前記光出射面から出射させて前記光放射面の外面に至った光を前記光放射面で前記照光面に向けて反射させるように構成したものである。
【００１０】
また、前記採光板において、前記１方の側面に凹みを設け、前記凹みに突入するように光源が配置されるものである。
【００１１】
また、前記各採光板において、前記光源としてＬＥＤが用いられるものである。
【００１２】
【発明の実施の形態】
この発明の実施例である採光板例を図面に基づいて説明する。図１はこの発明の実施例である採光板を示す平面図であり、図２は図１におけるＡ−Ａ断面図である。図において、略長方形の板状導光体で作られた採光板１は一方の側面に凹み５が設けられており、凹み５に光源となるＬＥＤ６が配置される。採光板１の他方の側面には４５°に傾斜した反射面４、４が上下に形成されている。
【００１３】
採光板１の底面は平面状に形成され、上面に光源から離れるに従って低くなる光放射面２が形成されている。光放射面２には、長手方向に対して直角方向に延びるＶ字形溝３、３…が形成されている。Ｖ字形溝３、３…は図１および図２の全体図では一部のみを簡略化して示しているが、Ａ部拡大図に示す形状のものが光放射面２全体に形成されている。
【００１４】
ＬＥＤ６から採光板１の内部を通り直接光放射面２の内面に至った光は光放射面２で屈折され矢印で示すようにＬＣＤや表示板等の照光面７に向けて放射される。ＬＥＤ６から採光板１の内部の下方を通り反射面４に至った光は反射面４、４で反射され矢印で示すように光放射面２の外面に至った光は光放射面２で反射されて照光面７に向けて放射される。
【００１５】
Ｖ字形溝３、３…は光放射面２で屈折または反射される光を拡散させて光むらをなくす。ＬＥＤ６を配置する部分に凹み５が設けられているために、いわゆる点光源であっても照光面７を幅方向に均一に照明することができる。
【００１６】
光放射面２には光源側および光源と反対側の両方向から光が導かれるので照光面７を長手方向に対して均一に照明することができる。
【００１７】
実施例は以上のように構成されているが発明はこれに限られず、例えば、光源としてＬＥＤの代わりにランプを用いることも可能である。また、実施例では図示していなかったが、採光板１の底面および側面に反射板を配置してもよい。
【００１８】
【発明の効果】
この発明の採光板によれば、部品点数が削減され、製造コストが安くなり、しかも、照光面を均一に照明することができる。
【００１９】
また、光源と採光板とが占めるスペースが小さくなり、照明するＬＣＤ等を大きくすることができる。
【図面の簡単な説明】
【図１】この発明の実施例である採光板を示す平面図である。
【図２】図１におけるＡ−Ａ断面図である。
【図３】従来の採光板の例を示す平面図である。
【符号の説明】
１  採光板
２  光放射面
３  Ｖ字形溝
４  反射面
５  凹み
６  ＬＥＤ
７  照光面
８  採光板
【図１】
0003820159.tif 000002
【図２】
0003820159.tif 000003
【図３】
0003820159.tif 000004